(57)【要約】      （修正有）【課題】樹脂製基板にコイルスプリングを２個装着した軽量でコンパクトなイカ釣り用イカ角投入器を提供する。【解決手段】樹脂基板１の海側にイカ角をはさむコイルスプリング２を装着、さらに幹糸及びハリスを押さえるコイルスプリング１６を反対側に装着したイカ釣り用のイカ角を投入できるようにした事を特徴とする。【選択図】図４
0003125962.tif 000002
【実用新案登録請求の範囲】
【請求項１】
樹脂製基板（アルミ等の金属板でも良い）を中間付近より山型に折り曲げ、上部・下部先端部分を上側に折り曲げる。  さらに上部左右の張出し部分と下部左右の張出し部分をＬ字型に上側に折り曲げる。
基板の山型折り曲げ部分の海側に船べり固定器具設置用の張り出しを設ける。
【請求項２】
上部先端両側のＬ字型折り曲げ部分の間にコイルスプリングをコイルスプリング押さえ用バーで装着したイカ釣り用イカ角投入器
【考案の詳細な説明】
【技術分野】
【０００１】  この考案は樹脂基板▲１▼上にイカ角押さえ用コイルスプリング▲２▼と幹糸およびハリス押え用コイルスプリング▲１６▼を装着したイカ釣り用イカ角投入器に関するものである。
【背景技術】
【０００２】  従来のイカ角投入器は複数の長い円筒をセットしたもので大きく重いものであった。
【考案が解決しょうとする課題】
【０００３】    これは次のような問題点があった。
（１）大型で重く持ち運びに不便であった。
（２）実釣時にイカ角を円筒の中に収納・再投入しようとするとき風などがあると円筒の中に収納しにくかった。
【課題を解決するための手段】
【０００４】  樹脂性基板▲１▼の中間付近を山型に折り曲げ▲１３▼さらに上部先端部分▲３▼および両側▲４▼と▲５▼下部両側▲６▼と▲７▼の一部を各々Ｌ字型に内側に折り曲げる。基板▲１▼を船べりに固定するため一部張り出し部分▲８▼▲９▼をつける。
基盤の上部海側のＬ字型部分▲３▼および下部船内側Ｌ字側部分▲１０▼の内側にコイルスプリング▲２▼▲１６▼を装着し押さえバー▲１１▼▲１２▼で基盤折り曲げ部▲４▼▲５▼▲６▼▲７▼に固定装着する。基盤を船べりに固定するため基盤の両側張り出し部分▲８▼▲９▼に船べり固定器具▲１４▼▲１５▼で固定
使用するときは船べりの上に樹脂基板▲１▼を置き、船べり内側に樹脂基板の部分を密着させ両側の張り出し部分▲８▼▲９▼を船べり固定具▲１４▼▲１５▼で両側を固定する。
イカ角をセットするときはイカ角の針が前面海側の樹脂版▲３▼に当たるように針先をコイルスプリング▲２▼より多少海側に出してセットする。
幹糸は手前内側のコイルスプリング▲１６▼に挟み込む。
投入時はおもりを船べりより前面海中に投入する。
複数のイカ角が一度に投入できるイカ角投入器である。
【考案の効果】
【０００５】  本考案は以上のような構造でコレを使用するときは基板▲１▼を船べり固定用締め付け具▲１４▼▲１５▼で船べり▲２０▼に固定設置し、イカ角を前面海側に向けてコイルスプリング▲２▼はさみこみ、幹糸あるいはハリスを船内側下部スプリング▲１６▼に挟み込んでゆく。
イカ角を投入するときはオモリを前方海面に投入、Ｌ字型基板▲３▼の前面にイカ角の針の部分が当たり反動ではねかえり複数本のイカ角が海中に投入できるイカ角投入器である。
【考案を実施するための最良の形態】
【０００６】基板を船べりに設置できるように中間付近から下向きにＬ字型に折り曲げ両側に船べり固定用の張り出し部分をつける。
樹脂基盤上部前面うみがわの一部および前面上部両側をＬ字型に折り曲げ、その中にコイルスプリング固定バーを通しコイルスプリングを固定する。
手前下部船内側前端両側部分およびスプリング固定バーも上部同様に設置、コイルスプリングを装着する。
これを使用するときはイカ角を上部コイルスプリングに挟みこみハリスあるいは幹糸は下部コイルスプリングに挟み込んで船べりより前面海中に投入する、複数の連結されたイカ角が投入できるイカ角投入器である。
【図面の簡単な説明】
【０００７】
【図１】本考案の手前側から観た図である。
【図２】本考案の反対側（海側）から見た図である。
【図３】本考案の側面から観た図である
【図４】本考案を船べりに装着した斜視図である。
【符号の説明】
【０００８】（図）１・２・３・４
▲１▼基板
▲２▼上部コイルスプリング
▲３▼上部Ｌ字型部分
▲４▼・▲５▼上部コイルスプリング押さえ基版
▲６▼・▲７▼下部      〃
▲８▼・▲９▼船べり固定用張り出し部分
▲１０▼下部Ｌ字型部分
▲１１▼・▲１２▼コイルスプリング固定用バー
▲１３▼基板折り曲げ部
▲１４▼・▲１５▼基板と船べり押さえ用具
▲１６▼下部コイルスプリング
▲２０▼船べり
【図１】
0003125962.tif 000003
【図２】
0003125962.tif 000004
【図３】
0003125962.tif 000005
【図４】
0003125962.tif 000006
【手続補正書】
【提出日】平成18年5月8日(2006.5.8)
【手続補正１】
【補正対象書類名】実用新案登録請求の範囲
【補正対象項目名】請求項２
【補正方法】削除
【補正の内容】
【手続補正２】
【補正対象書類名】実用新案登録請求の範囲
【補正対象項目名】請求項１
【補正方法】変更
【補正の内容】
【請求項１】
樹脂基板を中間付近より山型に折り曲げ、海側にイカ角を挟み込むためのコイルスプリングを装着したイカ釣り用イカ角投入器
【手続補正３】
【補正対象書類名】明細書
【補正対象項目名】全文
【補正方法】変更
【補正の内容】
【考案の詳細な説明】
【技術分野】
【０００１】  この考案は樹脂基板▲１▼上にイカ角押さえ用コイルスプリング▲１１▼と幹糸およびハリス押え用コイルスプリング▲１２▼を装着したイカ釣り用イカ角投入器に関するものである。
【背景技術】
【０００２】  従来のイカ角投入器は複数の長い円筒をセットしたもので大きく重いものであった。
【考案が解決しょうとする課題】
【０００３】  これは次のような問題点があった。
（１）大型で重く持ち運びに不便であった。
（２）実釣時にイカ角を円筒の中に収納・再投入しようとするとき風などがあると円筒の中に収納しにくかった。
【課題を解決するための手段】
【０００４】樹脂性基板▲１▼の中間付近を山型に折り曲げ▲１３▼、基盤の先端海側のＬ字型部分▲３▼および後部船内側Ｌ字側部分▲１０▼の内側にコイルスプリング▲１１▼▲１２▼を装着し押さえバー▲２▼▲１６▼で基盤折り曲げ部▲４▼と▲５▼の間、▲６▼と▲７▼の間に固定装着する。基盤を船べりに固定するため基盤の両側張り出し部分▲８▼▲９▼に船べり固定器具▲１４▼▲１５▼で固定する。
イカ角をセットするときはイカ角の針が前面海側の樹脂版▲３▼に当たるように針先をコイルスプリング▲１１▼より多少海側に出してセットする。幹糸或いはハリスは手前内側のコイルスプリング▲１２▼に挟み込む。
投入時はおもりを船べりより前面海中に投入する。
複数のイカ角が一度に投入できるイカ角投入器である。
【考案の効果】
【０００５】  本考案は以上のような構造でコレを使用するときは基板▲１▼を船べり固定用締め付け具▲１４▼・▲１５▼で船べり▲２０▼に固定設置し、イカ角を前面海側に向けてコイルスプリング▲１１▼にはさみこみ、幹糸あるいはハリスを船内側下部スプリング▲１２▼に挟み込んでゆく。
イカ角を投入するときはオモリを前方海面に投入、Ｌ字型基板▲３▼の前面にイカ角の針の部分が当たり反動ではねかえり複数本のイカ角が海中に投入できるイカ角投入器である。
【考案を実施するための最良の形態】
【０００６】基板を船べりに設置できるように中間付近から折り曲げ両側に船べり固定用の張り出し部分▲８▼・▲９▼をつける。
樹脂基盤先端海側の一部および先端両側をＬ字型に折り曲げ、その中にコイルスプリング固定バーを通しコイルスプリング▲１１▼を固定する。船内側先端両側部分およびスプリング固定バーも海側先端同様に設置、コイルスプリング▲１２▼を装着する。
これを使用するときはイカ角を先端コイルスプリング▲１１▼に挟みこみハリスあるいは幹糸は船内側先端コイルスプリング▲１２▼に挟み込んで船べりより前面海中に投入する、複数の連結されたイカ角が投入できるイカ角投入器である。
【図面の簡単な説明】
【０００７】
【図１】  本考案の手前側から観た図である。
【図２】  本考案の反対側（海側）から見た図である。
【図３】  本考案の側面から観た図である
【図４】  本考案を船べりに装着した斜視図である。
【符号の説明】
【０００８】（図）  １・２・３・４
▲１▼基板
▲１１▼海側先端コイルスプリング
▲３▼海側Ｌ字型部分
▲４▼・▲５▼海側コイルスプリング押さえ基版
▲６▼・▲７▼船内部      〃          
▲８▼・▲９▼船べり固定用張り出し部分
▲１０▼船内側Ｌ字型部分
▲２▼・▲１６▼コイルスプリング固定用バー
▲１３▼基板折り曲げ部
▲１４▼・▲１５▼基板と船べり押さえ用具
▲１２▼下部コイルスプリング
▲２０▼船べり
【手続補正３】
【補正対象書類名】図面
【補正対象項目名】全図
【補正方法】変更
【補正の内容】
【図１】
0003125962.tif 000007
【図２】
0003125962.tif 000008
【図３】
0003125962.tif 000009
【図４】
0003125962.tif 000010
【手続補正書】
【提出日】平成18年7月28日(2006.7.28)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】変更
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
樹脂基板を中間付近より山型に折り曲げ、海側にイカ角を挟み込むためのコイルスプリングを装着したイカ釣り用イカ角投入器